(57)【要約】【課題】保護部材とコネクタとの間で電線群が露出する寸法が所定の要求基準値以下となるように、電線群に保護部材を取付けることができるワイヤーハーネスを提供する。【解決手段】端部に端子１２が装着された複数本の絶縁電線１１を有する電線群１０と、各端子１２を保持するコネクタ２０と、筒状空間に電線群１０を通してコネクタ２０との間の電線群１０が露出する寸法を、所定の要求基準値以下となるように位置決めされ電線群１０を覆う保護部材３０と、を備え、保護部材３０は、複数の絶縁性小径筒状保護部材３１を有し、コネクタ２０に保持された端子１２の配列に対応するよう複数本の絶縁電線１１が絶縁性小径筒状保護部材３１に対応する複数束に分けられ、各１束の絶縁電線１１が各１つの絶縁性小径筒状保護部材３１に通され、絶縁性小径筒状保護部材３１がコネクタ２０に近接している。【選択図】図１
2015173563.tif 000002
【特許請求の範囲】
【請求項１】
端部に端子が接続された複数本の絶縁電線を有して構成される電線群と、
前記絶縁電線に対応する数の端子接続用挿入孔を有する成形体であり、各端子接続用挿入孔内に所定の対応する前記各端子を保持するコネクタと、
筒状空間を有し、該筒状空間に前記電線群を通して前記コネクタとの間の電線群が露出する寸法を、所定の要求基準値以下となるように位置決めされ前記電線群を覆う保護部材と、を備えたワイヤーハーネスであって、
前記保護部材は、複数の絶縁性小径筒状保護部材を有してなり、前記端子の前記端子接続用挿入孔に保持された配列に対応するよう前記複数本の絶縁電線が前記絶縁性小径筒状保護部材に対応する複数束に分けられ、各１束の絶縁電線が各１つの前記絶縁性小径筒状保護部材に通され、前記絶縁性小径筒状保護部材が前記コネクタに近接している構成であることを特徴とするワイヤーハーネス。
【請求項２】
前記保護部材は、前記電線群の保護が必要な区間のうちの、前記コネクタ側の電線群分岐状部分を覆う前記複数の絶縁性小径筒状保護部材と、前記絶縁性小径筒状保護部材よりも所要大径である筒状空間を有し、該筒状空間で前記電線群の保護が必要な区間のうちの前記コネクタと反対側の部分を覆う絶縁性大径筒状保護部材を備えてなることを特徴とする請求項１に記載のワイヤーハーネス。
【請求項３】
前記電線群が前記絶縁性大径筒状保護部材に通され、その後に、前記電線群分岐状部分が各１つの前記絶縁性小径筒状保護部材に通され、その後に、前記端子が前記コネクタに保持された構成であることを特徴とする請求項１または請求項２に記載のワイヤーハーネス。
【発明の詳細な説明】
【技術分野】
【０００１】
本発明は、ワイヤーハーネスに関する。
【背景技術】
【０００２】
従来、自動車に配索されるワイヤーハーネスとして、端部に端子が接続された複数本の絶縁電線を有して構成される電線群と、電線群の端部に接続されたコネクタと、電線群を覆う保護チューブとを備え、コネクタと保護チューブとの間に、保護チューブでは密閉できない隙間があり、この隙間寸法が所定の要求基準値以下であれば、この隙間を密閉しないことが許容される構成のものが知られている（例えば、特許文献１参照）。
【０００３】
図６は特許文献１に記載されたワイヤーハーネスを示す。図６において、ワイヤーハーネス１００は、保護チューブ１０１に複数本の電線１０２を通し、コネクタ１０３の端子収容室内に電線１０２の端部に装着した端子を挿入し、保護チューブ１０１をコネクタ１０３側に寄せて、保護チューブ１０１のコネクタ１０３と反対側の端部を粘着テープにより電線群１０２に巻付固定し、コネクタと保護チューブとの間の隙間寸法を所定の要求基準値以下にしている。
【先行技術文献】
【特許文献】
【０００４】
【特許文献１】特開２００８−２８００００号公報
【発明の概要】
【発明が解決しようとする課題】
【０００５】
しかしながら、図６に示す特許文献１に記載されたワイヤーハーネスにおいて、保護チューブ１０１の端部とコネクタ１０３との間の隙間寸法を短くすると、保護チューブ１０１の筒芯からずれた配置関係にある電線、すなわちコネクタ１０３の隅位置の端子収容室に端子が保持される電線にあっては、コネクタ１０３の端子収容室に向かって延びる電線１０２に大きな引張応力と曲げ応力が加わり、電線１０２が断線する恐れがある。このため、電線の本数が多く、コネクタ１０３が大きい場合には、保護チューブ１０１の端部とコネクタ１０３との間の隙間寸法を所定の要求基準値以下に小さくすることができないという問題があった。
【０００６】
本発明は、上述のような課題を解決するためになされたもので、保護部材とコネクタとの間で電線群が露出する寸法が所定の要求基準値以下となるように、電線群に保護部材を取付けることができるワイヤーハーネスを提供することを目的とする。
【課題を解決するための手段】
【０００７】
本発明に係るワイヤーハーネスは、上記目的を達成するため、端部に端子が接続された複数本の絶縁電線を有して構成される電線群と、前記絶縁電線に対応する数の端子接続用挿入孔を有する成形体であり、各端子接続用挿入孔内に所定の対応する前記各端子を保持するコネクタと、筒状空間を有し、該筒状空間に前記電線群を通して前記コネクタとの間の電線群が露出する寸法を、所定の要求基準値以下となるように位置決めされ前記電線群を覆う保護部材と、を備えたワイヤーハーネスであって、前記保護部材は、複数の絶縁性小径筒状保護部材を有してなり、前記端子の前記端子接続用挿入孔に保持された配列に対応するよう前記複数本の絶縁電線が前記絶縁性小径筒状保護部材に対応する複数束に分けられ、各１束の絶縁電線が各１つの前記絶縁性小径筒状保護部材に通され、前記絶縁性小径筒状保護部材が前記コネクタに近接している構成である。
【０００８】
この構成により、本発明に係るワイヤーハーネスは、電線群を構成している複数本の絶縁電線を複数束に分けて、束に分けた本数毎の絶縁電線を各１つの絶縁性小径筒状保護部材に通した構成であるので、絶縁性小径筒状保護部材とコネクタとの間で電線群が露出する寸法が所定の要求基準値以下となるように、電線群に各絶縁性小径筒状保護部材を取付けることができる。
【０００９】
また、この構成によれば、本発明に係るワイヤーハーネスは、絶縁性小径筒状保護部材の筒心からずれた配置関係にある端子と接続された絶縁電線の、コネクタから絶縁性小径筒状保護部材に通される部分における、絶縁性小径筒状保護部材の筒心に関する傾斜角度を小さく抑えられるので、絶縁電線に加わる引張応力と曲げ応力を小さく抑えられ、絶縁電線が断線する恐れを回避できる。
【００１０】
上述した構成のワイヤーハーネスにおいて、前記保護部材は、前記電線群の保護が必要な区間のうちの、前記コネクタ側の電線群分岐状部分を覆う前記複数の絶縁性小径筒状保護部材と、前記絶縁性小径筒状保護部材よりも所要大径である筒状空間を有し、該筒状空間で前記電線群の保護が必要な区間のうちの前記コネクタと反対側の部分を覆う絶縁性大径筒状保護部材を備えた構成とすることが好ましい。
【００１１】
この構成によれば、本発明に係るワイヤーハーネスは、電線群の保護が必要な区間のうちの、コネクタ側部分の電線群分岐状部分を覆う複数の絶縁性小径筒状保護部材により分岐状に保護し、残りの長尺部分を、絶縁性大径筒状保護部材により保護するものであるので、電線群の保護が必要な区間が長い場合に、電線群を束に分けることなく実質的に１束として保護できるから、良好な配索性を確保できる。
【００１２】
上述した構成のワイヤーハーネスにおいて、前記電線群が前記絶縁性大径筒状保護部材に通され、その後に、前記電線群分岐状部分が各１つの前記絶縁性小径筒状保護部材に通され、その後に、前記端子が前記コネクタに保持された構成とすることが好ましい。
【００１３】
この構成によれば、本発明に係るワイヤーハーネスは、絶縁性小径筒状保護部材をコネクタから離間した状態で、端子をコネクタの端子接続用挿入孔内に保持させることができるので、端子とコネクタとを連結する作業を容易に行うことができ、また絶縁性大径筒状保護部材を電線群に先に被せるので、径が大小相違する絶縁性大径筒状保護部材および絶縁性小径の筒状保護部材を電線群に被せる作業を容易に行うことができる。
【発明の効果】
【００１４】
本発明によれば、保護部材とコネクタとの間で電線群が露出する寸法が所定の要求基準値以下となるように、電線群に保護部材を取付けることができるワイヤーハーネスを提供することができる。
【図面の簡単な説明】
【００１５】
【図１】本発明の一実施の形態に係るワイヤーハーネスを示す平面図である。
【図２】図１における電線群を示す平面図である。
【図３】図２における電線群を絶縁性大径筒状保護部材に通した状態を示す平面図である。
【図４】図３における電線群を絶縁性小径筒状保護部材に通した状態を示す平面図である。
【図５】図４における端子をコネクタに保持させた状態を示す平面図である。
【図６】従来のワイヤーハーネスを示す部分平面図である。
【発明を実施するための形態】
【００１６】
次に、本発明に係るワイヤーハーネスの一実施の形態について図面を参照して説明する。
【００１７】
図１に示すように、本実施の形態に係るワイヤーハーネス１は、電線群１０と、コネクタ２０と、保護部材３０とを備えている。
【００１８】
電線群１０は、端部に端子１２が装着された複数本の絶縁電線１１を有して構成されている。コネクタ２０は、絶縁電線１１に対応する数の端子接続用挿入孔２１を有する成形体であり、各端子接続用挿入孔２１内に所定の対応する端子１２を保持するようになっている。
【００１９】
保護部材３０は、複数本の絶縁電線１１が通される筒状空間を有する２本の絶縁性小径筒状保護部材３１と、複数本の絶縁電線１１が通される筒状空間を有する１本の絶縁性大径筒状保護部材３２とを含んで構成されている。絶縁性小径筒状保護部材３１および絶縁性大径筒状保護部材３２としては、例えば、ビニールチューブ、あるいはビニールシートを筒状に加工したものを用いている。
【００２０】
図２に示すように、電線群１０は、複数本の絶縁電線１１が、端子接続用挿入孔２１に保持される端子１２の配列に対応するよう２束に分けられ、コネクタ２０側の電線群分岐状部分１０ａが、絶縁電線１１の束毎に巻き付けられた粘着テープ１３により結束され、電線群分岐状部分１０ａと反対側の部分１０ｂが、全ての絶縁電線１１からなる束に巻き付けられた粘着テープ１４により結束されている。
【００２１】
複数本の絶縁電線１１を２束に分けるのには、治具４０を用いることが好ましい。治具４０は、複数本の絶縁電線１１の長手方向中間部分を載置する基板４１と、基板４１から絶縁電線１１に対して交差する方向に突出するピン４２とを含んで構成され、複数本の絶縁電線１１を手作業によりピン４２を境として２束に分けるようになっている。
【００２２】
また、複数本の絶縁電線１１を束に分ける数は、コネクタ２０の形状や端子接続用挿入孔２１の数に応じて３以上としてもよく、例えば、複数本の絶縁電線１１を３束に分ける場合には、治具４０のピン４２の数を２本とする。
【００２３】
各絶縁性小径筒状保護部材３１は、電線群１０の各電線群分岐状部分１０ａを周方向に覆っており、各絶縁性小径筒状保護部材３１とコネクタ２０との間で絶縁電線１１が露出する寸法が所定の要求基準値以下になっている。絶縁性大径筒状保護部材３２は、所定の長さを有し、電線群１０の電線群分岐状部分１０ａと反対側の部分１０ｂにおいて保護対象となる部位を周方向に覆うようになっている。
【００２４】
絶縁性大径筒状保護部材３２は、図１に示すように、コネクタ２０側の端部に各絶縁性小径筒状保護部材３１の端部が差し込まれている。各絶縁性小径筒状保護部材３１の端部と絶縁性大径筒状保護部材３２の端部とは、これらに巻き付けた図示しない粘着テープにより相互に固定されている。また、絶縁性大径筒状保護部材３２のコネクタ２０に対する反対側の端部は、電線群１０の電線群分岐状部分１０ａと反対側の部分１０ｂに、これらに巻き付けた図示しない粘着テープにより相互に固定されている。
【００２５】
電線群１０に対して保護部材３０を装着する作業は、コネクタ２０の端子接続用挿入孔２１に端子１２を保持させる前に行う。まず、図３に示すように、絶縁性大径筒状保護部材３２に電線群１０を端子１２側から通して、絶縁性大径筒状保護部材３２が電線群１０の電線群分岐状部分１０ａと反対側の部分１０ｂを周方向に覆うようにする。
【００２６】
次いで、図４に示すように、各絶縁性小径筒状保護部材３１に電線群１０を端子１２側から通して、各絶縁性小径筒状保護部材３１が電線群１０の電線群分岐状部分１０ａを周方向に覆うようにし、図５に示すように、コネクタ２０の端子接続用挿入孔２１に対応する絶縁電線１１の端子１２を保持させる。
【００２７】
さらに、絶縁性大径筒状保護部材３２をコネクタ２０側へ向けて移動させ、絶縁性大径筒状保護部材３２のコネクタ２０側の端部に各絶縁性小径筒状保護部材３１の端部が差し込まれるようにし、各絶縁性小径筒状保護部材３１の端部および絶縁性大径筒状保護部材３２の端部に図示しない粘着テープを巻き付けて、各絶縁性小径筒状保護部材３１と絶縁性大径筒状保護部材３２を相互に固定する。
【００２８】
この後、図１に示すように、各絶縁性小径筒状保護部材３１および絶縁性大径筒状保護部材３２をコネクタ２０側へ向けて移動させ、各絶縁性小径筒状保護部材３１とコネクタ２０との間で絶縁電線１１が露出する寸法を所定の要求基準値以下にする。
【００２９】
また、絶縁性大径筒状保護部材３２のコネクタ２０に対する反対側の端部および電線群１０の電線群分岐状部分１０ａと反対側の部分１０ｂに図示しない粘着テープを巻き付けて、絶縁性大径筒状保護部材３２を電線群１０の電線群分岐状部分１０ａと反対側の部分１０ｂに固定する。
【００３０】
本実施の形態に係るワイヤーハーネス１は、電線群１０を構成している複数本の絶縁電線１１を複束数に分けて、束に分けた本数毎の絶縁電線１１を各１つの絶縁性小径筒状保護部材３１に通した構成であるので、絶縁性小径筒状保護部材３１とコネクタ２０との間で電線群１０が露出する寸法が所定の要求基準値以下となるように、電線群１０に各絶縁性小径筒状保護部材３１を取付けることができる。
【００３１】
また、本実施の形態に係るワイヤーハーネス１は、絶縁性小径筒状保護部材３１の筒心からずれた配置関係にある端子１２と接続された絶縁電線１１の、コネクタ２０から絶縁性小径筒状保護部材３１に通される部分における、絶縁性小径筒状保護部材３１の筒心に関する傾斜角度を小さく抑えられるので、絶縁電線１１に加わる引張応力と曲げ応力を小さく抑えられ、絶縁電線１１が断線する恐れを回避できる。
【００３２】
また、本実施の形態に係るワイヤーハーネス１は、電線群１０の保護が必要な区間のうちの、コネクタ２０側部分の電線群分岐状部分１０ａを覆う複数の絶縁性小径筒状保護部材３１により分岐状に保護し、残りの長尺部分を、絶縁性大径筒状保護部材３２により保護するものであるので、電線群１０の保護が必要な区間が長い場合に、電線群１０を複数束に分けることなく実質的に１束として保護できるから、良好な配索性を確保できる。
【００３３】
また、本実施の形態に係るワイヤーハーネス１は、絶縁性小径筒状保護部材３１をコネクタ２０から離間した状態で、端子１２をコネクタ２０の端子接続用挿入孔２１内に保持させることができるので、端子１２とコネクタ２０とを連結する作業を容易に行うことができ、また絶縁性大径筒状保護部材３２を電線群１０に先に被せるので、径が大小相違する絶縁性小径筒状保護部材３１および絶縁性大径筒状保護部材３２を電線群１０に被せる作業を容易に行うことができる。
【００３４】
また、本実施の形態に係るワイヤーハーネス１は、絶縁性大径筒状保護部材３２のコネクタ２０側の端部に各絶縁性小径筒状保護部材３１の端部が差し込んでいるので、各絶縁性小径筒状保護部材３１と絶縁性大径筒状保護部材３２との連結部の連結強度を大きく確保できる。
【００３５】
また、本実施の形態に係るワイヤーハーネス１は、絶縁性小径筒状保護部材３１をコネクタ２０から離間した状態で、端子１２をコネクタ２０の端子接続用挿入孔２１内に保持させることができるので、端子１２とコネクタ２０との連結作業が容易に行える。
【００３６】
本発明は、上記の実施の形態に限定されるものでなく、特許請求の範囲に記載された本発明の技術的範囲には、発明の要旨を逸脱しない範囲内で種々、設計変更した形態が含まれる。
【００３７】
以上説明したように、本発明に係るワイヤーハーネスは、保護部材とコネクタとの間で電線群が露出する寸法が所定の要求基準値以下となるように、電線群に保護部材を取付けることができるという効果を有し、ワイヤーハーネス全般に有用である。
【符号の説明】
【００３８】
１  ワイヤーハーネス
１０  電線群
１０ａ  電線群分岐状部分
１０ｂ  電線群の電線分岐状部分と反対側の部分
１１  絶縁電線
１２  端子
２０  コネクタ
２１  端子接続用挿入孔
３０  保護部材
３１  絶縁性小径筒状保護部材
３２  絶縁性大径筒状保護部材
【図１】
2015173563.tif 000003
【図２】
2015173563.tif 000004
【図３】
2015173563.tif 000005
【図４】
2015173563.tif 000006
【図５】
2015173563.tif 000007
【図６】
2015173563.tif 000008